(57)【要約】【課題】動作時の騒音を抑えて作業環境を改善等することのできる連続紙加工用回転刃、連続紙の加工装置、この連続紙の加工装置で作られる分包紙ロール及び連続紙の加工方法を提供する。【解決手段】このスリッタ１１は、連続紙の一例としての分包紙を送る方向に沿って該分包紙に設定幅のミシン目１６を等間隔に入れるミシン加工部と、各ミシン目１６の幅方向略中央を通るようにして該分包紙を帯状紙片１３ａ，１３ｂ，・・・に分割して複数条のスリット１７を形成するスリット加工部１４とを備え、前記ミシン加工部１２は、さらに、はすば歯車状の歯部を有する回転刃としての上刃１２ａと、前記分包紙を介してこの上刃１２ａを受け止める受け止め部材としての下刃１２ｂとを備えている。【選択図】図２
2010023191.tif 000002
【特許請求の範囲】
【請求項１】
連続紙の送り方向に沿って該連続紙に設定幅の切れ目を等間隔に入れるための歯部を有する連続紙加工用の回転刃であって、
前記歯部は、前記連続紙の送り方向に対して傾斜させたものであることを特徴とする連続紙加工用の回転刃。
【請求項２】
前記歯部の傾斜角度は、該歯部の進行方向に向かって右回りに４５度、或いは、左まわりに４５度であることを特徴とする請求項１記載の連続紙加工用の回転刃。
【請求項３】
連続紙の送り方向に沿って該連続紙に設定幅の切れ目を等間隔に入れるミシン加工部と、各切れ目の幅方向略中央を通るようにして該連続紙を多条の帯状紙片に分割するスリット加工部とを備えた連続紙の加工装置であって、
前記ミシン加工部は、前記連続紙の送り方向に対して傾斜させた歯部を有する回転刃と、前記連続紙を介してこの回転刃を受け止める受け止め部材とを備えたことを特徴とする連続紙の加工装置。
【請求項４】
前記受け止め部材は、前記連続紙を送るタイミングに応じて回転駆動される円筒状の下刃であり、かつ前記回転刃は、前記下刃に連動して回転可能な上刃であることを特徴とする請求項３記載の連続紙の加工装置。
【請求項５】
前記連続紙は分包紙であり、請求項３又は４記載の連続紙の加工装置で多条に分割された帯状紙片をそのまま、或いは、幅方向中央で折り曲げて紙管に巻き付けてなることを特徴とする分包紙ロール。
【請求項６】
ミシン加工部により連続紙の送り方向に沿って該連続紙に設定幅の切れ目を等間隔に入れる第一の工程と、スリット加工部により前記各切れ目の幅方向略中央を通るようにして該連続紙を多条の帯状紙片に分割する第二の工程とを備えた連続紙の加工方法であって、
前記第一の工程は、前記ミシン加工部により前記連続紙に各切れ目を入れる際に、該各切れ目を前記連続紙の送り方向に対して傾斜させることを特徴とする連続紙の加工方法。
【発明の詳細な説明】
【技術分野】
【０００１】
本発明は、連続紙加工用の回転刃、この回転刃を用いて連続紙の送り方向に沿って該連続紙に設定幅の切れ目を等間隔に入れるミシン加工部と、各切れ目の幅方向略中央を通るようにして該連続紙を多条の帯状紙片に分割するスリット加工部とを備えた連続紙の加工装置、この連続紙の加工装置で作られる分包紙ロール及び連続紙の加工方法に関わるものである。
【背景技術】
【０００２】
一般的なスリッタは、連続紙の一例としての分包紙をロール状に巻いた原反を装填可能であって、この原反と平行に置かれた回転軸に等ピッチに固定された回転刃を備えており、この回転刃で、原反から送りだされる分包紙を複数条の帯状紙片に分割するようになっている。そして、図９に示すように、例えば帯状紙片１３ａを、幅方向の中央で２つ折りして、円筒状の紙管１０ａに巻きつけることで、製品である分包紙ロール１０を作ることができる。
【０００３】
さらに、この分包紙ロール１０を、図示しない分包機に装填することで、図１０（ａ）に示すような分包シート１００を作ることができる。具体的には、前記帯状紙片１３ａを所定ピッチでカッティングして、図８に示すような短尺の紙片１０１となし、その幅方向中央１０５で折り曲げて断面をＶ字状にした紙片１０１の間に、薬剤１０３，１０３，・・・を充填し、折り曲げ部を除く３辺を熱溶着１０２して当該紙片１０１をシールする。その折り曲げ部に対向する１辺には、浅い切れ目１０４が該辺と直角方向に１箇所だけ入れられる。そして、薬剤の服用者は、この切れ目１０４から、分包シート１００を容易に開封できるようになるとされている。
【０００４】
しかしながら、この切れ目１０４はもともと視認しにくいものであり、特に薬剤の服用者が、目の不自由な人である場合や高齢者である場合には、切れ目１０４を探し当てることは困難であった。また、仮に切れ目１０４を探し当てたとしても、この切れ目１０４からの分包シート１００の開封に失敗した場合には、当該切れ目１０４が潰れてしまい、その後の開封がさらに困難となる。
【０００５】
一方、例えば特許文献１に開示された簡易型ミシン目加工装置には、記録済み用紙の送り方向に沿って多条のミシン目を入れるための回転刃と、その記録済み用紙を介してこの回転刃を受け止める受け止め部材とを備えている。ただし、この簡易型ミシン目加工装置は、記録済み用紙をその送り方向に沿って切り放すためのものであるから、そのミシン目の形成用の回転刃には、極めて幅狭の歯部を形成しているにすぎない。したがって、前記切れ目１０４に対応した幅広のミシン目を入れるためには、幅広の平行歯からなる平歯車状の歯部を有する回転刃を使用する必要がある。
【０００６】
そこで、平歯車状の歯部を有する回転刃を使用可能なミシン目加工装置を用いて、これを前記スリッタに組み合わせ適用した場合には、分包紙の送り方向に沿って該分包紙に設定幅のミシン目を等間隔に入れることができるようになる。
【０００７】
そして、このミシン目を入れた分包紙を、さらに前記スリッタの回転刃で当該ミシン目の幅方向略中央を通るようにして多条の帯状紙片に分割した場合には、最終的には図１０（ｂ）に示すように、分包シート１００の１辺に、浅い切れ目１０４を該辺と直角にかつ等ピッチで複数個所設けることができるようになる。
【０００８】
このようにして、分包シート１００の切れ目１０４を複数化することにより、特に薬剤の服用者が、目の不自由な人である場合や高齢者である場合であっても、切れ目１０４を探し当てることが容易となる。また、万一分包シート１００の開封に失敗して、当該切れ目１０４が潰れてしまった場合でも、他の切れ目１０４をから分包シート１００の開封を行うことができるようになる。
【特許文献１】実開平７−２４５９８号公報
【発明の開示】
【発明が解決しようとする課題】
【０００９】
しかしながら、前記ミシン目加工装置において、幅広のミシン目をつけるための平歯車状の歯部を有する回転刃と、分包紙を介してこの回転刃を受け止める受け止め部材とを備えた場合には、その動作により、回転刃の歯部が、分包紙を介して受け止め部材に対して接触状態と非接触状態を繰り返すこととなるので、騒音が発生して、作業環境が悪化する。
【００１０】
また、この繰り返しにより、回転刃の歯部の磨耗が生じて、この回転刃の寿命が短くなるので、回転刃を頻繁に取り替える必要があり、手間がかかる。さらには、このときの回転刃の歯部の磨耗粉が同時に発生する紙粉とともに製品等を汚染するおそれがあった。
【００１１】
さらに、当該製品である分包紙ロールから作られる分包シートの１辺に、浅い切れ目を該辺と直角にかつ等ピッチで複数個所設ける場合には、紙片の折り返しにより切れ目同士がわずかにずれて重なることにより、切れ目がなくなってしまうおそれがあった。
【００１２】
本発明は、このような事情に鑑みてなされたもので、動作時の騒音を抑えて作業環境を改善等することのできる連続紙加工用の回転刃、連続紙の加工装置、この連続紙の加工装置で作られる分包紙ロール及び連続紙の加工方法を提供することを目的とするものである。
【課題を解決するための手段】
【００１３】
本発明は、連続紙の送り方向に沿って該連続紙に設定幅の切れ目を等間隔に入れるための歯部を有する連続紙加工用の回転刃であって、前記歯部は、前記連続紙の送り方向に対して傾斜させたものであることを特徴とするものである。
【００１４】
本発明によれば、前記歯部は、前記連続紙の送り方向に対して傾斜させたものであるので、回転刃を連続紙を介して受け止め部材に接触させた場合における当該接触は、前記歯部を構成する特定の歯の一端から始まって、他端で終わるが、この他端での接触が終わるころには、次の歯の一端が接触し始めることとなる。
【００１５】
このため、前記接触状態が常に維持されることとなるとともに、１つの歯にかかる荷重の変動が少なくなる。これにより、回転刃はスムーズに回転して、静粛運転が可能となり、作業環境が大幅に改善されることとなる。
【００１６】
また、同様の理由により、回転刃の磨耗が生じにくくなり、この回転刃の寿命が長くなるので、回転刃を頻繁に取り替える必要がなくなり、手間がかからなくなる。
【００１７】
請求項２記載の発明のように、前記歯部の傾斜角度は、該歯部の進行方向に向かって右回りに４５度、或いは、左まわりに４５度であることが好ましい。
【００１８】
請求項２記載の発明によれば、前記歯部の傾斜角度は、該歯部の進行方向に向かって右回りに４５度、或いは、左まわりに４５度であるので、連続紙を分割した帯状紙片を幅方向中央で折り曲げたときに、その折り曲げ部と反対側の１辺で複数の切れ目が確実にクロスするようになる。また、前記切れ目を４５度としたことにより、特定の分包機で処理するときに、分包紙の当該切れ目が引っかかりにくくなる。
【００１９】
請求項３記載の発明は、連続紙の送り方向に沿って該連続紙に設定幅の切れ目を等間隔に入れるミシン加工部と、各切れ目の幅方向略中央を通るようにして該連続紙を多条の帯状紙片に分割するスリット加工部とを備えた連続紙の加工装置であって、前記ミシン加工部は、前記連続紙の送り方向に対して傾斜させた歯部を有する回転刃と、前記連続紙を介してこの回転刃を受け止める受け止め部材とを備えたことを特徴とするものである。
【００２０】
請求項３記載の発明によれば、前記ミシン加工部は、前記連続紙の送り方向に対して傾斜させた歯部を有する回転刃と、前記連続紙を介してこの回転刃を受け止める受け止め部材とを備えたので、その動作により、回転刃の歯部の連続紙を介しての受け止め部材に対する接触は、当該歯部を構成する特定の歯の一端から始まって、他端で終わるが、この他端での接触が終わるころには、次の歯の一端が接触し始めることとなる。
【００２１】
このため、前記接触状態が常に維持されることとなるとともに、１つの歯にかかる荷重の変動が少なくなる。これにより、回転刃はスムーズに回転して、静粛運転が可能となり、作業環境が大幅に改善されることとなる。
【００２２】
また、同様の理由により、回転刃の磨耗が生じにくくなり、この回転刃の寿命が長くなるので、回転刃を頻繁に取り替える必要がなくなり、手間がかからなくなる。さらには、回転刃の磨耗粉が少なくなるので、その磨耗粉により製品である分包紙ロール等を汚染するおそれも少なくなる。
【００２３】
ところで、仮に受け止め部材が固定され、或いは、回転刃とは無関係な速度で回転していた場合には、連続紙のみによって回転刃が回転されるようになり、回転刃がスムーズに回転せず、連続紙が引き裂かれ、或いは、スリップしてミシン目が形成できなくなる。
【００２４】
そこで、請求項４記載の発明のように、前記受け止め部材は、前記連続紙を送るタイミングに応じて回転駆動される円筒状の下刃であり、かつ前記回転刃は、前記下刃に連動して回転可能な上刃であることが好ましい。
【００２５】
請求項４記載の発明によれば、前記受け止め部材は、前記連続紙を送るタイミングに応じて回転駆動される円筒状の下刃であり、かつ前記回転刃は、前記下刃に連動して回転可能な上刃であるので、回転刃である上刃がスムーズに回転して、連続紙に常に良好なミシン目を形成することができるようになる。
【００２６】
請求項５記載の発明は、前記連続紙は分包紙であり、請求項３又は４記載の連続紙の加工装置で多条に分割された帯状紙片をそのまま、或いは、幅方向中央で折り曲げて紙管に巻き付けてなることを特徴とする分包紙ロールである。
【００２７】
請求項５記載の発明によれば、前記連続紙は分包紙であり、請求項３又は４記載の連続紙の加工装置で多条に分割された帯状紙片をそのまま、或いは、幅方向中央で折り曲げて紙管に巻き付けてなるので、この分包紙ロールを用いて、クロスした切れ目を有する分包シートを簡単に作ることができる。また、分包した後において、当該切れ目の引っかかりによる前記分包シートの裂けが防止される。
【００２８】
請求項６記載の発明は、ミシン加工部により連続紙の送り方向に沿って該連続紙に設定幅の切れ目を等間隔に入れる第一の工程と、スリット加工部により前記各切れ目の幅方向略中央を通るようにして該連続紙を多条の帯状紙片に分割する第二の工程とを備えた連続紙の加工方法であって、前記第一の工程は、前記ミシン加工部により前記連続紙に各切れ目を入れる際に、該各切れ目を前記連続紙の送り方向に対して傾斜させることを特徴とするものである。
【００２９】
請求項６記載の発明によれば、前記第一の工程は、前記ミシン加工部により前記連続紙に各切れ目を入れる際に、該各切れ目を前記連続紙の送り方向に対して傾斜させるので、第二の工程で、前記スリット加工部により連続紙を分割した帯状紙片を、幅方向中央で折り曲げたときに、その折り曲げ部とは反対側の１辺で複数の切れ目が互いにクロスするようになる。
【００３０】
したがって、この帯状紙片から最終的に作られる分包シートでは、仮に紙片の折り返しにより切れ目同士がわずかにずれて重なっていたとしても、その切れ目がなくなってしまうことがないから、薬剤の服用者が、例え目の不自由な人である場合や高齢者である場合であっても、その切れ目を探し当てることが容易となる。
【００３１】
また、このクロスした切れ目では、切れ目同士が完全に一致することがないので、分包シートを開封するときに該シートを構成する紙片２枚分を同時に切り裂く力が必要となる従来のものと比べて、分包シートを開封するための力が少なくて済む。したがって、当該分包シートの開封がさらに容易となる。
【発明の効果】
【００３２】
本発明によれば、前記歯部は、前記連続紙の送り方向に対して傾斜させたものであるので、回転刃を連続紙を介して受け止め部材に接触させた場合における当該接触は、前記歯部を構成する特定の歯の一端から始まって、他端で終わるが、この他端での接触が終わるころには、次の歯の一端が接触し始めることとなる。
【００３３】
このため、前記接触状態が常に維持されることとなるとともに、１つの歯にかかる荷重の変動が少なくなる。これにより、回転刃はスムーズに回転して、静粛運転が可能となり、作業環境が大幅に改善されることとなる。
【００３４】
また、同様の理由により、回転刃の磨耗が生じにくくなり、この回転刃の寿命が長くなるので、回転刃を頻繁に取り替える必要がなくなり、手間がかからなくなる。
【００３５】
請求項３記載の発明によれば、前記ミシン加工部は、前記連続紙の送り方向に対して傾斜させた歯部を有する回転刃と、前記連続紙を介してこの回転刃を受け止める受け止め部材とを備えたので、その動作により、回転刃の歯部が、連続紙を介して受け止め部材に対して常に接触状態を維持することとなるので、騒音が発生しにくくなり、作業環境が改善される。
【００３６】
また、回転刃の歯部の磨耗が生じにくくなり、この回転刃の寿命が長くなるので、回転刃を頻繁に取り替える必要がなくなり、手間がかからなくなる。さらには、回転刃の歯部の磨耗粉が少なくなるので、その磨耗粉により製品である分包紙ロール等を汚染するおそれも少なくなる。
【００３７】
請求項５記載の発明によれば、前記連続紙は分包紙であり、請求項３又は４記載の連続紙の加工装置で多条に分割された帯状紙片をそのまま、或いは、幅方向中央で折り曲げて紙管に巻き付けてなるので、この分包紙ロールを用いて、クロスした切れ目を有する分包シートを簡単に作ることができる。また、分包した後において、当該切れ目の引っかかりによる前記分包シートの裂けが防止される。
【００３８】
請求項６記載の発明によれば、前記第一の工程は、前記ミシン加工部により前記連続紙に各切れ目を入れる際に、該各切れ目を前記連続紙の送り方向に対して傾斜させるので、第二の工程で、前記スリット加工部により連続紙を分割した帯状紙片を、幅方向中央で折り曲げたときに、その折り曲げ部とは反対側の１辺で複数の切れ目が互いにクロスするようになる。
【００３９】
したがって、この帯状紙片から最終的に作られる分包シートでは、仮に紙片の折り返しにより切れ目同士がわずかにずれて重なっていたとしても、その切れ目がなくなってしまうおそれがないから、薬剤の服用者が、例え目の不自由な人である場合や高齢者である場合であっても、その切れ目を探し当てることが容易となる。
【００４０】
また、このクロスした切れ目では、切れ目同士が完全に一致することがないので、従来例に比べて、分包シートを開封するための力が少なくて済む。したがって、当該分包シートの開封がさらに容易となる。
【発明を実施するための最良の形態】
【００４１】
図１は本発明の一実施形態に係るスリッタ１１の概略構成を示す斜視図、図２はスリッタ１１の詳細構成を示す図であって、（ａ）は平面図、（ｂ）は側面図である。
【００４２】
図１及び図２（ａ）（ｂ）に示すように、本実施形態に係るスリッタ１１は、連続紙の一例としての分包紙をロール状に巻いた原反１３を装填可能であって、この原反１３から送り出される分包紙の該送り方向下流側に置かれたミシン加工部１２と、このミシン加工部１２のさらに下流側に置かれたスリット加工部１４と、空気源としてのブロア１５とを備えている。
【００４３】
そして、ミシン加工部１２で、原反１３から送り出される分包紙に設定幅かつ等ピッチのミシン目１６，１６，・・・を入れるようになっている。
【００４４】
このミシン加工部１２は、それぞれ独立の回転軸１２ｄまわりに回転自在に軸支された回転刃としての上刃１２ａと、一体の回転軸１２ｅまわりに回転自在に軸支された受け止め部材としての下刃１２ｂと、下刃１２ｂを回転駆動するモータ１２ｃとを備えており、このうちの上刃１２ａは原反１３から送られる分包紙を介して下刃１２ｂに当接する方向に付勢されているので、モータ１２ｃで下刃１２ｂが回転駆動されることにより上刃１２ａが連れまわりをするようになっている。上刃１２ａは、詳しくは後述するが、はすば歯車状の歯部を備えており、下刃１２ｂは、かかる歯部のない円筒状をなしている。なお、上刃１２ａの直径は、下刃１２ｂの直径と略同じである。
【００４５】
既に従来例で述べたように、仮に下刃１２ｂが固定され、或いは、上刃１２ａとは無関係な速度で回転していた場合には、分包紙のみによって上刃１２ａが回転されるようになり、上刃１２ａがスムーズに回転せず、分包紙が引き裂かれ、或いは、スリップしてミシン目１６が形成できなくなるが、ここでは、下刃１２ｂは、前記原反１３から分包紙を送るタイミングに応じて回転駆動されるとともに、上刃１２ａは、この下刃１２ｂに向けて適宜に付勢されているので、上刃１２ａは、下刃１２ｂに連動して回転するようになり、その分包紙において常に良好なミシン目１６が形成できるようになる。
【００４６】
さらにスリット加工部１４で、そのミシン目１６，１６，・・・の幅方向中央を通るようにしてスリット１７，１７，・・・を入れることで、原反１３から送り出される分包紙を複数条の帯状紙片１３ａ，１３ｂ，・・・に分割するようになっている。
【００４７】
このスリット加工部１４は、基本的にはミシン加工部１２とほぼ同様の構成であって、回転軸１４ｄまわりに回転自在に軸支された上刃１４ａと、回転軸１４ｅまわりに回転自在に軸支された下刃１４ｂと、下刃１４ｂを回転駆動するモータ１４ｃとを備えており、このうちの上刃１４ａは下刃１４ｂに当接する方向に付勢されているので、モータ１４ｃで下刃１４ｂが回転駆動されることにより上刃１４ａが連れまわりをするようになっている。上刃１４ａは円板状の本体略中央が突出した尖頭状をなしており、かかる点で前記ミシン加工部１２とは大きく異なっている。
【００４８】
このときに、原反１３から送り出される分包紙の左右両端に発生する耳屑１３ｘ，１３ｙを、ブロア１５から供給された空気で吸引するための吸引口１５ｘ，１５ｙが風送ライン３１に斜め接続された枝ライン３１ｘ，３１ｙの先端にそれぞれ設けられている。
【００４９】
なお、図１では、ブロア１５からの風送ライン３１を別個に設けて、それぞれに枝ライン３１ｘ，３１ｙを斜め接続することで、風送ライン３１中の空気がよりスムーズに流れるようにしているが、例えば枝ライン３１ｘ，３１ｙが１本の風送ライン３１から直接分岐しているようにしてもよい。
【００５０】
ここで、被スリット物である連続紙の一例としての分包紙は、基層にヒートシール層を積層したもので、厚みは３０〜７０μｍ程度のものである。基層は、グラシン又はセロハンであって、ヒートシール層は、ポリエチレンである。
【００５１】
この分包紙の前記原反１３は、幅が５００〜１０００ｍｍ程度のものである。この原反１３を、スリッタ１１に装填した上で、ミシン目１６を入れ、さらにスリットして、図１０に示すように、紙管１０ａにそのまま巻きつけるか、或いは、幅方向中央で折り返した状態で、製品である分包紙ロール１０を作るようになっている。
【００５２】
以下、本発明の特徴をなすスリッタ１１のミシン加工部１２まわりについて詳述する。なお、図３はミシン加工部１２の上刃１２ａの構成図であって、（ａ）は正面図、（ｂ）は（ａ）の縦断面図を示す。また、図４は上刃１２ａの歯部１２４付近を示す部分拡大図、図５（ａ）は上刃１２ａの歯部１２４付近を上面から見た部分拡大図、（ｂ）は（ａ）を正面から見た部分拡大図である。
【００５３】
ミシン加工部１２の上刃１２ａは、硬質の鋼製であり、例えば図３（ａ）（ｂ）に示すように、円板状の本体１２１と、この本体１２１を表裏両面でそれぞれ減肉した段部１２２と、本体１２１の軸心に形成され、前記回転軸１２ｄを回転自在に挿通可能な軸孔１２３と、段部１２２の先端に形成したはすば歯車状の歯部１２４とからなっている。この歯部１２４は、浸炭や窒化処理などにより本体１２１や段部１２２よりも硬度を上げて、その耐久性を大幅に向上させることができる。
【００５４】
なお、「はすば歯車状の歯部」とは、基礎円筒に巻きつけた紙の端が歯車の軸心とある角度をなしているとき、紙の端のつくる面を歯面とした「はすば歯車の歯部」と同様のものをいうが、前記角度が「はすば歯車の歯部」では１０〜２０度であるのが通常であるのに対し、この「はすば状歯車の歯部」ではかかる制限がないため、両者を区別しているものである。
【００５５】
歯部１２４は、図４に示すように、段部１２２の先端をさらに絞って、ミシン目１６の幅に設定されている。すなわち、図５（ａ）（ｂ）に示すように、段部１２２の幅ｗ１を歯部１２４の幅ｗ２まで絞っており、歯部１２４はピッチｐで段部１２２の周面に傾斜して形成されている。ねじれ角に相当する傾斜角度は、歯部１２４の幅方向に対して＋４５度であり、これにより、歯部１２４の当該傾斜角度が、該歯部１２４の進行方向に向かって右まわりに４５度の角度をなしているものといえる。
【００５６】
ミシン加工部１２の下刃１２ｂは、これも硬質の鋼製であり、例えば図７に示すように、円筒状の本体１２５と、この本体１２５の軸心に形成され、前記回転軸１２ｅを回転自在に挿通可能な軸孔１２６とからなっている。下刃１２ｂは、それぞれ設定長に形成されたものが複数組み合わされてなり、各継ぎ目が、上刃１２ａとの当接位置に重ならないように位置設定されている。
【００５７】
以下、このスリッタ１１の動作を説明することにより、本実施形態に係る連続紙の加工方法を具現化するものとする。なお、図８は分包紙をスリットした状態を示す展開図、図９は分包紙ロールの構成を示す斜視図、図１０は分包シートの構成を示す正面図である。ただし、図８及び図１０（ｃ）における切れ目１０４は、その説明の便宜上、誇張して示している。
【００５８】
まず図１及び図２（ａ）（ｂ）におけるように、連続紙の一例としての分包紙をロール状に巻いた原反１３をスリッタ１１に装填する。原反１３から分包紙を送り出すための図示しないモータと、前記モータ１２ｃ，１４ｃとを起動すると、原反１３が送られるタイミングに同期して下刃１２ｂ，１４ｂがそれぞれ回転駆動される。このため、各モータは、図示しない制御装置で同期制御されるものとする。
【００５９】
上刃１２ａの弾性付勢力を適当に調整することにより、原反１３から送られる分包紙を介してこの上刃１２ａを下刃１２ｂに当接させ、これにより、上刃１２ａの歯部１２４で前記分包紙に設定幅で等ピッチのミシン目１６をつける。
【００６０】
ついで、上刃１４ａの付勢力を適当に調整することにより、このミシン目１６をつけた分包紙を介して、この上刃１４ａを下刃１４ｂに当接させ、これにより、上刃１４ａの尖頭部で分包紙につけたミシン目１６の幅方向中央で該分包紙を複数条の帯状紙片１３ａ，１３ｂ，・・・に分割するように分包紙にスリット１７を入れる。
【００６１】
そして、図８及び図９に示すように、例えば帯状紙片１３ａを、幅方向の中央１０５で２つ折りして、円筒状の紙管１０ａに巻きつけることで、製品である分包紙ロール１０を作ることができる。このとき、上刃１２ａの歯部１２４のねじれ角に相当する傾斜角度は、該歯部１２４の進行方向に向かって右回りに４５度、或いは、左まわりに４５度に設定されているので、分包紙ロール１０に巻きつけられた分包紙の前記折り曲げ部と反対側で重なった状態のミシン目１６同士が確実にクロスするようになる。
【００６２】
この分包紙ロール１０を図示しない分包機に装填して、個々の分包シート１００を作成する。すなわち、前記帯状紙片１３ａを所定ピッチでカッティングして、図８に示すような短尺の紙片１０１となし、その幅方向中央１０５で折り曲げて断面Ｖ字状にした紙片１０１の間に薬剤１０３，１０３，・・・を充填し、折り曲げ部を除く３辺を熱溶着１０２して紙片１０１をシールする。これにより、図１０（ｃ）に示すように、折り曲げ部とは反対側の１辺には切れ目１０４が切れ目同士で確実にクロスした状態で複数箇所に入るようになる。
【００６３】
この実施形態によれば、前記ミシン加工部１２は、はすば歯車状の歯部を有する回転刃としての上刃１２ａと、原反１３から送り出される分包紙を介してこの上刃１２ａを受け止める受け止め部材としての下刃１２ｂとを備えたので、その動作により、上刃１２ａのはすば歯車状の歯部１２４が、前記分包紙を介して下刃１２ｂに対して常に接触状態を維持することとなるので、騒音が発生しにくくなり、作業環境が改善される。
【００６４】
また、上刃１２ａの歯部１２４の磨耗が生じにくくなり、この上刃１２ａの寿命が長くなるので、上刃１２ａを頻繁に取り替える必要がなくなり、手間がかからなくなる。さらには、上刃１２ａの歯部１２４の磨耗粉が少なくなるので、その磨耗粉により製品である分包紙ロール１０を汚染するおそれも少なくなる。
【００６５】
さらに、前記分包紙を分割した帯状紙片１３ａ，１３ｂ，・・・を幅方向中央で折り曲げたときに、その折り曲げ部とは反対側にて複数の切れ目１０４が互いにクロスするようになる。したがって、この帯状紙片１３ａ，１３ｂ，・・・から作られる分包シート１００については、薬剤１０３，１０３，・・・の服用者が、例え目の不自由な人である場合や高齢者である場合であっても、その切れ目１０４を探し当てることが容易となり、当該分包シート１００の開封が容易となる。
【００６６】
なお、上記実施形態では、上刃１２ａの歯部１２４を、はすば歯車状の歯部としているが、山歯歯車状の歯部や、ねじ歯車状の歯部など、原反１３からの分包紙の送り方向に対して傾斜させた歯部であればよい。
【００６７】
また、上記実施形態では、上刃１２ａのはすば歯車状の歯部１２４のねじれ角に相当する傾斜角度は、この歯部１２４の進行方向に対して＋４５度としているが、この傾斜角度は上記と逆方向のものであってもよい。
【００６８】
すなわち、この変形例に係る上刃１２ａでは、例えば図６（ａ）（ｂ）に示すように、段部１２２の幅ｗ１を歯部１２４の幅ｗ２まで絞っており、歯部１２４はピッチｐで段部１２２の周面に傾斜して形成されている。
【００６９】
そして、上刃１２ａの歯部１２４のねじれ角に相当する傾斜角度は、この歯部１２４の進行方向に対して当該傾斜角度は幅方向に対して−４５度であり、これは、前記歯部１２４の進行方向に向かって左回りに４５度をなしているものといえる。さらに、前記傾斜角度は、特定の分包機で処理するときに、分包紙の切れ目が引っかかりにくくなる範囲内であれば、４５度よりも大きくしてもよいし、４５度よりも小さくしてもよい。
【００７０】
また、上記実施形態及び変形例では、上刃１２ａの歯部１２４は、図５（ａ）及び図６（ａ）に示すように、段部１２２の先端をさらに絞って、ミシン目１６の幅に設定されているが、その設定幅によっては、上刃１２ａの歯部１２４は、段部１２２の先端に直接形成されることがある（前記図５（ａ）及び前記図６（ａ）において、ｗ１＝ｗ２である）。
【００７１】
また、上記実施形態では、上刃１２ａ，１４ａはそれぞれ７個ずつ使用しているが、この上刃１２ａ，１４ａの数が同一であれば、６個以下ずつであってもよいし、或いは８個以上ずつであってもよい。これらの数は、原反１３の幅寸法と、その原反１３から送り出される分包紙の分割数に応じて設定されるものである。上刃１２ａ，１４ａの間隔を可変としてもよい。
【００７２】
また、上記実施形態では、回転軸１２ｄ，１４ｄは上刃１２ａ，１４ａごとに独立させているが、それぞれ一体のものであってもよい。
【００７３】
また、上記実施形態では、連続紙の一例として分包紙を例示しているが、本発明の適用範囲はこれに限定されず、その他菓子や食品の包み紙などであっても同様に適用することができることはもちろんである。
【図面の簡単な説明】
【００７４】
【図１】本発明の一実施形態に係るスリッタの概略構成を示す斜視図である。
【図２】スリッタの詳細構成を示す図（ａ）は平面図、（ｂ）は側面図である。
【図３】回転刃の上刃の構成図であって、（ａ）は正面図、（ｂ）は（ａ）の縦断面図を示す。
【図４】上刃の歯部付近を示す部分拡大図である。
【図５】本実施形態の上刃の構成図であって、（ａ）は上刃の歯部付近を上面から見た部分拡大図、（ｂ）は（ａ）を正面から見た部分拡大図である。
【図６】変形例に係る上刃の構成図であって、（ａ）は上刃の歯部付近を上面から見た部分拡大図、（ｂ）は（ａ）を正面から見た部分拡大図である。
【図７】本実施形態の下刃の構成を示す断面図である。
【図８】分包紙をスリットした状態を示す展開図である。
【図９】分包紙ロールの構成を示す斜視図である。
【図１０】分包シートの構成を示す正面図であって、（ａ）（ｂ）は従来例、（ｃ）は本発明を適用した場合を示す。
【符号の説明】
【００７５】
１０  分包紙ロール
１１  スリッタ
１２  ミシン加工部
１２ａ  上刃（回転刃に相当する。）
１２ｂ  下刃（受け止め部材に相当する。）
１２ｃ  モータ
１２ｄ  回転軸
１２１  本体
１２２  段部
１２３  軸孔
１２４  歯部
１３  分包紙の原反（連続紙の一例である。）
１３ａ，１３ｂ，・・・  紙片
１３ｘ，１３ｙ  耳屑
１４  スリット加工部
１４ａ  上刃
１４ｂ  下刃
１４ｃ  モータ
１４ｄ  回転軸
１５  ブロア
１５ｘ，１５ｙ  吸引口
１６  ミシン目
１７  スリット
【図１】
2010023191.tif 000003
【図２】
2010023191.tif 000004
【図３】
2010023191.tif 000005
【図４】
2010023191.tif 000006
【図５】
2010023191.tif 000007
【図６】
2010023191.tif 000008
【図７】
2010023191.tif 000009
【図８】
2010023191.tif 000010
【図９】
2010023191.tif 000011
【図１０】
2010023191.tif 000012